(57)【要約】【課題】組み付け作業が容易でその自動化も可能な車両用の可倒式ルーフマウントアンテナを提供する。【解決手段】車両用の可倒式ルーフマウントアンテナは、ジョイントアセンブリ１０と、ベースアセンブリ２０と、プッシュロッド５０と、プッシュナット部５５と、スプリング４０と、プッシュナット受け部５８とからなる。プッシュロッド５０の一方端が押し込まれるときにプッシュナット部５５が一旦撓み、プッシュロッドの係止部５１に係止して固定され、プッシュロッドのフランジ部５２との間でジョイントアセンブリ１０とベースアセンブリ２０とを挟持する。プッシュナット受け部５８は、プッシュロッド５０の係止部５１と係止するプッシュナット部５５の係止面と対向する面側に配置され、プッシュナット部５５の係止面と対向する面側への撓みを抑制する。【選択図】図２
2011009928.tif 000002
【特許請求の範囲】
【請求項１】
車両用の可倒式ルーフマウントアンテナであって、該可倒式ルーフマウントアンテナは、
アンテナロッドが固定され、第１端子が配置されるジョイントアセンブリと、
前記ジョイントアセンブリを揺動可能に枢支する枢支部を有し、第２端子が配置されるベースアセンブリと、
一方端に係止部を有し、他方端にフランジ部を有するプッシュロッドと、
前記プッシュロッドの一方端が押し込まれるときに一旦撓み、プッシュロッドの係止部に係止して固定され、プッシュロッドのフランジ部との間でジョイントアセンブリとベースアセンブリとを挟持するためのプッシュナット部と、
前記プッシュロッドのフランジ部とプッシュナット部の間に付勢力を与える弾性部と、
前記プッシュナット部の係止面と対向する面側に配置され、プッシュナット部の係止面と対向する面側への撓みを抑制するためのプッシュナット受け部と、
を具備することを特徴とする可倒式ルーフマウントアンテナ。
【請求項２】
請求項１に記載の可倒式ルーフマウントアンテナであって、さらに、アンテナロッドを揺動させるときにジョイントアセンブリとベースアセンブリの間にクリック感を与えるためのクリック機構を具備し、前記弾性部は、さらにクリック機構にも付勢力を与えることを特徴とする可倒式ルーフマウントアンテナ。
【請求項３】
請求項１又は請求項２に記載の可倒式ルーフマウントアンテナにおいて、前記プッシュロッドの係止部の係止面がプッシュロッドの長手方向に対して直交し、プッシュナット部の係止面がプッシュロッドの係止部の係止面に対して平行であることを特徴とする可倒式ルーフマウントアンテナ。
【請求項４】
請求項１乃至請求項３の何れかに記載の可倒式ルーフマウントアンテナにおいて、
前記プッシュナット部は、プッシュロッドの一方端が貫通する貫通孔を有し、
前記プッシュナット受け部は、プッシュロッドの一方端が貫通する貫通孔を有し、
前記プッシュナット部の貫通孔の径は、プッシュナット受け部の貫通孔よりも小さく、且つプッシュロッドの係止部の最小径よりも大きいことを特徴とする可倒式ルーフマウントアンテナ。
【請求項５】
請求項１乃至請求項４の何れかに記載の可倒式ルーフマウントアンテナにおいて、前記プッシュナット部が第２端子の一部に一体的に構成され、前記プッシュナット受け部がベースアセンブリの一部に一体的に構成されることを特徴とする可倒式ルーフマウントアンテナ。
【請求項６】
請求項１乃至請求項４の何れかに記載の可倒式ルーフマウントアンテナにおいて、前記プッシュナット部が第２端子の一部に一体的に構成され、前記プッシュナット受け部が第１端子の一部に一体的に構成されることを特徴とする可倒式ルーフマウントアンテナ。
【請求項７】
請求項２乃至請求項６の何れかに記載の可倒式ルーフマウントアンテナにおいて、前記クリック機構は、一部が第１端子に設けられ、一部が第２端子に設けられることを特徴とする可倒式ルーフマウントアンテナ。
【請求項８】
請求項２乃至請求項６の何れかに記載の可倒式ルーフマウントアンテナにおいて、前記クリック機構は、一部が第１端子に設けられ、一部がプッシュナット部に設けられることを特徴とする可倒式ルーフマウントアンテナ。
【請求項９】
請求項２乃至請求項６の何れかに記載の可倒式ルーフマウントアンテナにおいて、前記クリック機構は、一部がプッシュロッドのフランジ部に設けられ、一部が第２端子に設けられることを特徴とする可倒式ルーフマウントアンテナ。
【発明の詳細な説明】
【技術分野】
【０００１】
本発明は車両用の可倒式ルーフマウントアンテナに関し、特に、アンテナロッドを揺動させるときにクリック感を有する車両用の可倒式ルーフマウントアンテナに関する。
【背景技術】
【０００２】
従来の車両用の可倒式ルーフマウントアンテナとして、例えば特許文献１に開示のものがある。特許文献１に開示のものは、導電性且つ弾性を有するコの字形状のベースプレートにアンテナ部が枢支される構造を有している。そして、アンテナ部に設けられる揺動プレートが凸部を有し、ベースプレート側は、これに嵌合する凹部を有しており、これらによりクリック機構が構成されている。
【０００３】
このような構成の場合、コの字形状のベースプレートの弾性のみによりクリック機構のクリックトルクが提供されているため、クリックトルクが弱く、車両走行中の振動等でアンテナロッドが意図せず倒れてしまう場合があった。
【０００４】
このようなアンテナロッドの倒れを防止すべくクリックトルクを高めた構成を有する可倒式ルーフマウントアンテナとして、例えば本願出願人と同一人による特願２００７−１７５５６９に記載のもの等がある。図１は、このような従来の可倒式ルーフマウントアンテナの一例を説明するための分解斜視図であり、図１（ａ）が全体を、図１（ｂ）がジョイントアセンブリを、図１（ｃ）がベースアセンブリを、図１（ｄ）がクリック機構をそれぞれ表わしている。図示のように、従来の可倒式ルーフマウントアンテナは、ジョイントアセンブリ１００と、ベースアセンブリ２００と、クリック機構３００とから主に構成されている。ジョイントアセンブリ１００は、アンテナロッドが固定されるものであり、アンテナロッドがねじ込まれるジョイント１０１と、電気的接点となる第１端子１０２と、筒状部を有するジョイントモールド１０３とからなる。ベースアセンブリ２００は、ジョイントアセンブリ１００を揺動可能に枢支する一対の枢支部を有するベースモールド２０１と、電気的接点となる第２端子２０２とからなる。クリック機構３００は、アンテナロッドを揺動させるときにジョイントアセンブリ１００とベースアセンブリ２００の間にクリック感を与えるためのものである。クリック機構３００は、導電性のクリックプレート３０１と、筒状のクリックモールド３０２からなる。そして、クリック機構３００のクリックモールド３０２内に第１スプリング４００を収容し、ジョイントアセンブリ１００とベースアセンブリ２００とクリック機構３００と第１スプリング４００にボルト５００を貫通させ、ナット５５０をワッシャ５５５を介して締結することで、これらが組み付けられる。なお、ナット５５０やワッシャ５５５は、ベースモールド２０１に設けられる穴に埋め込まれる。
【０００５】
図示例の従来技術では、クリックプレート３０１と第１端子１０２とに、それぞれ嵌合する凸部と凹部が設けられており、第１スプリング４００の付勢力によりクリックトルクが発生する。なお、ボルトの太さが、細い先端部と太い本体部の２段になっており、本体部の長さと第１スプリングによりクリックトルクが決定される。そして、第１端子１０２と第２端子２０２の導通を確保するために、第２スプリング４５０が第１端子１０２と第２端子２０２の間に設けられている。
【０００６】
この可倒式ルーフマウントアンテナを組み付ける場合、まず、ベースアセンブリ２００にジョイントアセンブリ１００を嵌め込むときに、その間に第２スプリング４５０とＯリング４６０を挿入する必要がある。Ｏリング４６０は、第１端子１０２と第２端子２０２の導通を確保するための第２スプリング４５０の摺動面へのゴミや塵等の侵入を防止するために必要なものである。その後、クリック機構３００をジョイントモールド１０３の筒状部に挿入し、第１スプリング４００をクリックモールド３０２の筒状部に挿入する。そしてこれらを貫通するようにボルト５００を挿入し、ワッシャ５５５を介してナット５５０にて締結することになる。
【先行技術文献】
【特許文献】
【０００７】
【特許文献１】特開２００６−１０８８４８号公報
【発明の概要】
【発明が解決しようとする課題】
【０００８】
図１に示されるような従来の構造の可倒式ルーフマウントアンテナでは、組み付け時に第２スプリングやＯリング等の部品を挿入するのが難しく、機械による自動組み付けが難しかった。また、第１スプリングを付勢しながらボルトとナットを締結する必要があり、この作業も自動化が難しいものであった。さらに、ナットやワッシャをベースモールドの穴に埋め込むのも難しかった。また、部品点数が多いため、組み付け工数の多さと共にコストがかさんでいた。
【０００９】
また、図１に示される従来の可倒式ルーフマウントアンテナにおいて、アンテナロッドから第２端子までの導通経路は、ジョイント１０１、第１端子１０２、第２スプリング４５０、第２端子２０２のルートと、ジョイント１０１、第１端子１０２、クリックプレート３０１、第１スプリング４００、ボルト５００、第２端子２０２のルートの２系統であった。これは、第２スプリングを用いた摺動面を有する導通経路がゴミや塵等の侵入により遮断された場合であっても、もう一方のルートで確実に導通を確保するために２系統設けられている。しかしながら、仮に一方のルートが遮断された場合、アンテナの電気長も変わってしまうため、アンテナ特性が変化してしまうという問題もあった。
【００１０】
さらに、クリックトルクについては、ボルトの長さや第１スプリングの強さ、ナットの締め付けトルク等により影響を受ける構造であるため、製造誤差や組み付け誤差によって、クリックトルクが強すぎたり弱すぎたりする場合もあった。
【００１１】
本発明は、斯かる実情に鑑み、組み付け作業が容易でその自動化も可能な車両用の可倒式ルーフマウントアンテナを提供しようとするものである。
【課題を解決するための手段】
【００１２】
上述した本発明の目的を達成するために、本発明による車両用の可倒式ルーフマウントアンテナは、アンテナロッドが固定され、第１端子が配置されるジョイントアセンブリと、ジョイントアセンブリを揺動可能に枢支する枢支部を有し、第２端子が配置されるベースアセンブリと、一方端に係止部を有し、他方端にフランジ部を有するプッシュロッドと、プッシュロッドの一方端が押し込まれるときに一旦撓み、プッシュロッドの係止部に係止して固定され、プッシュロッドのフランジ部との間でジョイントアセンブリとベースアセンブリとを挟持するためのプッシュナット部と、プッシュロッドのフランジ部とプッシュナット部の間に付勢力を与える弾性部と、プッシュナット部の係止面と対向する面側に配置され、プッシュナット部の係止面と対向する面側への撓みを抑制するためのプッシュナット受け部と、を具備するものである。
【００１３】
さらに、アンテナロッドを揺動させるときにジョイントアセンブリとベースアセンブリの間にクリック感を与えるためのクリック機構を具備し、弾性部は、さらにクリック機構にも付勢力を与えても良い。
【００１４】
ここで、プッシュロッドの係止部の係止面がプッシュロッドの長手方向に対して直交し、プッシュナット部の係止面がプッシュロッドの係止部の係止面に対して平行であれば良い。
【００１５】
また、プッシュナット部は、プッシュロッドの一方端が貫通する貫通孔を有し、プッシュナット受け部は、プッシュロッドの一方端が貫通する貫通孔を有し、プッシュナット部の貫通孔の径は、プッシュナット受け部の貫通孔よりも小さく、且つプッシュロッドの係止部の最小径よりも大きいものであれば良い。
【００１６】
また、プッシュナット部が第２端子の一部に一体的に構成され、プッシュナット受け部がベースアセンブリの一部に一体的に構成されても良い。
【００１７】
また、プッシュナット部が第２端子の一部に一体的に構成され、プッシュナット受け部が第１端子の一部に一体的に構成されても良い。
【００１８】
また、クリック機構は、一部が第１端子に設けられ、一部が第２端子に設けられても良い。
【００１９】
また、クリック機構は、一部が第１端子に設けられ、一部がプッシュナット部に設けられても良い。
【００２０】
さらに、クリック機構は、一部がプッシュロッドのフランジ部に設けられ、一部が第２端子に設けられても良い。
【発明の効果】
【００２１】
本発明の車両用の可倒式ルーフマウントアンテナには、組み付け作業が容易でその自動化も可能であるという利点がある。さらに、組み付け誤差も減るため、クリックトルクが強すぎたり弱すぎたりする問題も少ない。
【図面の簡単な説明】
【００２２】
【図１】図１は、従来の可倒式ルーフマウントアンテナの一例を説明するための分解斜視図である。
【図２】図２は、本発明の第１実施例の可倒式ルーフマウントアンテナを説明するための分解斜視図である。
【図３】図３は、本発明の第１実施例の可倒式ルーフマウントアンテナのプッシュロッドとプッシュナット部の詳細を説明するための概略断面図である。
【図４】図４は、本発明の第２実施例の可倒式ルーフマウントアンテナを説明するための分解斜視図である。
【図５】図５は、本発明の第２実施例の可倒式ルーフマウントアンテナのプッシュロッドとプッシュナット部の詳細を説明するための概略断面図である。
【図６】図６は、本発明の第３実施例の可倒式ルーフマウントアンテナを説明するための分解斜視図である。
【図７】図７は、本発明の第３実施例の可倒式ルーフマウントアンテナのプッシュロッドとプッシュナット部の詳細を説明するための概略断面図である。
【図８】図８は、本発明の第３実施例の可倒式ルーフマウントアンテナを説明するための分解斜視図である。
【図９】図９は、本発明の可倒式ルーフマウントアンテナにおいて、片持ち状態でジョイントアセンブリを枢支する例を説明するための概略断面図である。
【発明を実施するための形態】
【００２３】
以下、本発明を実施するための形態を図示例と共に説明する。図２は、本発明の第１実施例の車両用の可倒式ルーフマウントアンテナを説明するための分解斜視図であり、図２（ａ）が全体を、図２（ｂ）がジョイントアセンブリを、図２（ｃ）がベースアセンブリを、図２（ｄ）がクリック機構をそれぞれ表わしている。図示の通り、本発明の第１実施例の可倒式ルーフマウントアンテナは、ジョイントアセンブリ１０と、ベースアセンブリ２０と、クリック機構３０とから主に構成されている。
【００２４】
ジョイントアセンブリ１０は、アンテナロッド（図示せず）が固定され、第１端子１２が配置されるものであり、第１端子１２にはアンテナロッドがねじ込まれるジョイント１１が電気的に接続されている。また、第１端子１２には、凹部１４が設けられている。なお、凹部１４は孔部であっても良い。そして、これらがジョイントモールド１３に組み込まれている。ジョイントモールド１３は、筒状部を有しており、筒状部の一端は閉じており、他端は開口している。なお、閉じている側の中心には、後述のプッシュロッド５０が貫通する貫通孔が設けられている。そして、筒状部の閉じている側の内部側に第１端子１２が設けられ、後述のクリックプレート３１と摺動するように構成されている。
【００２５】
ベースアセンブリ２０は、ジョイントアセンブリ１０を揺動可能に枢支する枢支部２５，２５を有し、第２端子２２がベースモールド２１に配置されている。第２端子２２は、ベースモールド２１にインサート成形等により配置されれば良い。図示例では、枢支部２５，２５の一端は閉じており、他端は開口している。なお、閉じている側の中心には、後述のプッシュロッド５０が貫通する貫通孔が設けられている。
【００２６】
クリック機構３０は、アンテナロッドを揺動させるときにジョイントアセンブリ１０とベースアセンブリ２０との間にクリック感を与えるものである。クリック機構３０は、図示例では、クリックプレート３１とクリックモールド３２からなっている。クリックプレート３１には、第１端子１２の凹部１４に嵌合する凸部３３が設けられている。そして、クリックモールド３２は筒状のものである。クリックモールド３２の一端はクリックプレート３１により閉じられており、他端は開口している。クリックモールド３２と枢支部２５には、互いに嵌合する凸部及び凹部が設けられており、クリックモールド３２はベースモールド２１に固定される。また、ジョイントアセンブリ１０はクリック機構３０には固定されていないため、アンテナロッドの揺動に伴い、ジョイントアセンブリ１０とクリック機構３０間は摺動すると共に、凹部１４と凸部３３が嵌合してクリック感が得られる。このような構成により、クリック機構３０がジョイントアセンブリ１０とベースアセンブリ２０との間にクリック感を提供している。
【００２７】
そして、本発明の第１実施例の可倒式ルーフマウントアンテナは、これらの各部品を挟持するために、プッシュロッド５０とプッシュナット部５５が用いられている。プッシュロッド５０は、一方端に係止部５１を有し、他方端にフランジ部５２を有し、ジョイントアセンブリ１０とベースアセンブリ２０とクリック機構３０とを貫通するものである。プッシュロッド５０の一方端は、鏃状に形成されており、プッシュナット部５５に挿入しやすいように構成されている。
【００２８】
また、プッシュナット部５５は、図示例では第２端子２２に設けられている。即ち、プッシュナット部５５は、第２端子２２の一部に一体的に構成されている。プッシュナット部５５は、プッシュロッド５０の一方端の鏃状部が押し込まれるときに一旦撓み、プッシュロッド５０の係止部５１に係止して固定され、プッシュロッド５０のフランジ部５２との間で、ジョイントアセンブリ１０とベースアセンブリ２０とクリック機構３０とを挟持している。プッシュナット部５５はすり鉢状に形成され、中心にはプッシュロッド５０の一方端が貫通する貫通孔が設けられ、ジョイントアセンブリ１０の回転軸を中心に配置されている。また、プッシュロッド５０が押し込まれるときに撓みやすいように、プッシュナット部５５にはスリット５６が設けられている。
【００２９】
図示例では、プッシュロッド５０のフランジ部５２とプッシュナット部５５の間に付勢力を与えるための弾性部であるスプリング４０が設けられている。スプリング４０は、プッシュロッド５０の係止部５１のところでプッシュナット部５５が係止して固定されるよう、付勢力を与えるものである。さらに、スプリング４０は、クリック機構３０に対しても付勢力を与えるものであり、クリックプレート３１が第１端子１２側に付勢されることで、クリック感が得られる。スプリング４０は、図示例のようなコイルスプリング以外にも、例えば板ばねやゴム等、付勢力を与えられるものであれば良い。
【００３０】
図３を用いて、プッシュロッド５０とプッシュナット部５５についてより詳細に説明する。図３は、本発明の第１実施例の可倒式ルーフマウントアンテナのプッシュロッドとプッシュナット部の詳細を説明するための概略断面図であり、図３（ａ）〜図３（ｄ）はプッシュロッドがプッシュナット部に係止される過程を表わしている。図示の通り、プッシュロッド５０の係止部５１と係止するプッシュナット部５５の係止面５５ａと対向する面側には、プッシュナット受け部５８が配置されている。図示例では、プッシュナット受け部５８は、ベースアセンブリ２０の一部、より具体的には、ベースモールド２１に一体的に設けられており、ジョイントモールド１３が位置する側の反対側に設けられている。プッシュナット受け部５８は、プッシュナット部５５の係止面５５ａと対向する面側への撓みを抑制するものである。プッシュナット受け部５８は、プッシュロッド５０の一方端が貫通する貫通孔を有している。
【００３１】
また、プッシュロッド５０の係止部５１の係止面５１ａは、プッシュロッド５０の長手方向に対して直交しており、プッシュナット部５５の係止面５５ａがプッシュロッド５０の係止面５１ａに対して平行となるように構成されている。これにより、プッシュナット部５５は、プッシュロッド５０が押し込まれるときに撓みやすくなる一方、プッシュロッド５０の係止面５１ａとプッシュナット部５５の係止面５５ａが面接触するため、確実に係止されるようになる。なお、本発明はこのような面接触する構成には限定されず、例えばプッシュナット部５５の係止面５５ａが、プッシュロッド５０の係止面５１ａに対して角度を持って当接するように構成しても良い。例えば、図３上で左側に突出するようにプッシュナット部を設けることで、プッシュロッドの抜け強度をより高めることも可能である。
【００３２】
ここで、プッシュナット部５５の貫通孔は、プッシュナット受け部５８の貫通孔よりも小さく、且つプッシュロッド５０の係止部５１の最小径よりも大きいものである。これにより、プッシュロッド５０がプッシュナット部５５に押し込まれると一旦撓み（図３（ｂ）参照）、プッシュロッド５０がプッシュナット部５５を貫通し、プッシュロッド５０の係止部５１のところでプッシュナット部５５の撓みが元に戻る（図３（ｃ）参照）。そして、スプリング４０による付勢力で係止部５１とプッシュナット部５５が係止される（図３（ｄ）参照）。このとき、スプリング４０の付勢力、即ち、プッシュロッド５０の引張力が強くても、プッシュナット受け部５８の存在により、プッシュナット部５５の係止面５５ａと対向する面側への撓みが抑制され、プッシュナット部５５からプッシュロッド５０が抜けることが防止される。
【００３３】
また、本発明の可倒式ルーフマウントアンテナでは、プッシュロッド５０の係止部５１の係止面５５ａとフランジ部５２の間の距離や、スプリング４０等によりクリックトルクが決定される。プッシュロッド５０の係止部５１やフランジ部５２は、エンドミル等により正確に形成できるため、製造誤差を少なくすることが可能である。また、従来の可倒式ルーフマウントアンテナで問題となっていたような、締め付けトルクによる誤差も起こり得ないため、クリックトルクの誤差も小さくすることが可能となり、クリックトルクが強すぎたり弱すぎたりする問題も少ない。
【００３４】
このような構成の本発明の第１実施例の可倒式ルーフマウントアンテナの部品を組み付けるときには、ジョイントアセンブリ１０がベースアセンブリ２０により枢支されるように、ベースアセンブリ２０の枢支部２５，２５の間に挿入され、ジョイントアセンブリ１０の筒状部の開口部にクリック機構３０が挿入される。枢支部２５，２５の一方と、クリック機構３０のクリックモールド３２には、互いに嵌合する凹部及び凸部が設けられており、アンテナロッドの揺動に伴ってこれらが回転しないように、ベースアセンブリ２０にクリック機構３０が回転方向には固定される。また、クリック機構３０は、ベースアセンブリ２０に対して回転軸方向には固定されていないため、アンテナロッドの揺動に伴い、ジョイントアセンブリ１０とクリック機構３０間は摺動すると共に、凹部１４と凸部３３が嵌合してクリック感が得られる。そして、クリックモールド３２の開口部にスプリング４０が挿入される。このような状態から、ジョイントアセンブリ１０とベースアセンブリ２０とクリック機構３０とスプリング４０とを貫通するようにプッシュロッド５０が挿入され、プッシュナット部５５にプッシュロッド５０が押し込まれることでプッシュロッド５０の係止部５１がプッシュナット部５５に係止され、組み付けが完了する。
【００３５】
上述のように、本発明の可倒式ルーフマウントアンテナは、組み付け作業が容易であるため、枢支部間にジョイントアセンブリを挿入したり、ジョイントアセンブリにクリック機構を挿入するのを、機械により自動化することが可能となる。また、プッシュロッドとプッシュナット部を用いた締結手法により、締結トルク等を気にすることなく、プッシュロッドをプッシュナット部に挿し込むのみで締結が完了するため、非常に容易に組み付け可能となる。
【００３６】
また、従来の可倒式ルーフマウントアンテナのように、導通を確保するためのスプリングや、これをゴミや塵等から保護するためのＯリング等は、本発明の第１実施例の可倒式ルーフマウントアンテナでは、外部に露出する摺動部分が無いため不要となる。
【００３７】
さらに、第１実施例の可倒式ルーフマウントアンテナでは、アンテナロッドから第２端子までの導通経路は、ジョイント１１、第１端子１２、クリックプレート３１、スプリング４０、プッシュロッド５０、第２端子２２の１系統となる。したがって、部品点数を減らすと共に、アンテナ特性の安定性を高めることも可能となる。
【００３８】
なお、上述の図示例では、クリック機構を有する例を記載したが、本発明はこれに限定されず、クリック機構を有さないものであっても良い。ジョイントアセンブリが揺動可能なものであり、所定の位置で固定できれば可倒式ルーフマウントアンテナとして利用可能なためである。例えば、図２において、クリック機構３０及び第１端子１２の凹部１４を除いた構成であっても良い。このような構成であっても、プッシュロッド５０はプッシュナット部５５に係止されると共に、スプリング４０によりプッシュロッド５０のフランジ部５２とプッシュナット部５５の間に与えられた付勢力はジョイントアセンブリ１０の第１端子１２にも与えられるため、所定の位置で固定可能となる。
【００３９】
次に、本発明の第２実施例の可倒式ルーフマウントアンテナについて、図４を用いて説明する。図４は、本発明の第２実施例の可倒式ルーフマウントアンテナを説明するための分解斜視図であり、図４（ａ）が全体を、図４（ｂ）がジョイントアセンブリを、図４（ｃ）がベースアセンブリを、図４（ｄ）がクリック機構をそれぞれ表わしている。図中、図２と同一の符号を付した部分は概ね同一物を表わしている。また、対応する構成要素には符号末尾に"Ａ"を付し、詳説は省略する。
【００４０】
図示の通り、本発明の第２実施例の可倒式ルーフマウントアンテナは、ベースアセンブリ２０Ａが、枢支部２５Ａ，２５Ａを有するような第２端子２２Ａで一体的に構成されている。さらに、ベースアセンブリ２０Ａには、プッシュナット部５５Ａが一体的に設けられている。また、ベースアセンブリ２０Ａの枢支部２５Ａ，２５Ａの一方には、凸部２６Ａが設けられている。そして、クリック機構３０Ａのクリックプレート３１Ａには凹部３３Ａが設けられている。なお、凹部３３Ａは孔部であっても良い。これらが互いに嵌合することで、クリック感が得られる構成である。また、第２実施例では、プッシュナット部５５Ａが第２端子２２Ａの一部に一体的に構成されている。
【００４１】
図５は、本発明の第２実施例の可倒式ルーフマウントアンテナのプッシュロッドとプッシュナット部の詳細を説明するための概略断面図である。同図に示されるように、第１端子１２Ａは、ジョイントモールド１３Ａの筒状部の閉じている側の内部側に設けられ、スプリング４０Ａと電気的に導通する。そして、プッシュナット受け部５８Ａがジョイントモールド１３Ａの筒状部の閉じている側の外部側に設けられており、プッシュナット部５５Ａと摺動するように構成されている。
【００４２】
第２実施例では、ジョイントモールド１３Ａとクリックモールド３２Ａに、互いに嵌合する凸部及び凹部が設けられており、クリック機構３０Ａはジョイントアセンブリ１０Ａに対して回転方向には固定される。また、クリック機構３０Ａはジョイントアセンブリ１１Ａに対して回転軸方向には固定されていないため、アンテナロッドの揺動に伴い、クリック機構３０Ａとベースアセンブリ２０Ａ間は摺動すると共に、凸部２６Ａと凹部３３Ａが嵌合してクリック感が得られる。このような構成により、クリック機構３０Ａがジョイントアセンブリ１０Ａとベースアセンブリ２０Ａとの間にクリック感を提供している。
【００４３】
第２実施例の可倒式ルーフマウントアンテナでは、第１実施例と同様に、組み付け作業が容易であるため、ジョイントアセンブリにクリック機構を挿入したり、枢支部間にジョイントアセンブリを挿入するのを、機械により自動化することが可能となる。また、プッシュロッドとプッシュナット部を用いた締結手法により、締結トルク等を気にすることなく、プッシュロッドをプッシュナット部に挿し込むのみで締結が完了するため、非常に容易に組み付け可能となる。
【００４４】
また、第２実施例の可倒式ルーフマウントアンテナでは、アンテナロッドから第２端子までの導通経路は、ジョイント１１Ａ、第１端子１２Ａ、スプリング４０Ａ、クリックプレート３１Ａ、プッシュロッド５０Ａ、第２端子２２Ａの１系統となる。
【００４５】
なお、第２実施例では、第１端子１２Ａは、ジョイントモールド１３Ａの筒状部の閉じている側の内部側に設けられていたが、本発明はこれに限定されず、外部側に設けても良い。この場合、第１端子の形状をプッシュナット受け部となるように形成することで、プッシュナット受け部が第１端子の一部に一体的に構成されれば良い。これにより、第１端子と第２端子が直接電気的に導通した状態で摺動するため、さらに導通経路が短くなる。
【００４６】
さらに、クリック機構の一部をなす凸部２６Ａや凹部３３Ａについても、上述の図示例には限定されず、例えば、凸部が設けられる第１端子がジョイントモールドの筒状部の閉じている側の外部側に設けられ、凹部がプッシュナット部に設けられても良い。これにより、クリックプレートを第１端子やプッシュナット部と兼用とすることが可能となり、さらに部品点数を削減可能となる。
【００４７】
次に、本発明の第３実施例の可倒式ルーフマウントアンテナについて、図６を用いて説明する。図６は、本発明の第３実施例の可倒式ルーフマウントアンテナを説明するための分解斜視図であり、図６（ａ）が全体を、図６（ｂ）がジョイントアセンブリを、図６（ｃ）がベースアセンブリをそれぞれ表わしている。図中、図２や図４と同一の符号を付した部分は概ね同一物を表わしている。また、対応する構成要素には符号末尾に"Ｂ"を付し、詳説は省略する。
【００４８】
図示の通り、本発明の第３実施例の可倒式ルーフマウントアンテナは、ベースアセンブリ２０Ｂが、枢支部２５Ｂ，２５Ｂを有するような第２端子２２Ｂで一体的に構成されている例である。さらに、ベースアセンブリ２０Ｂを構成する第２端子２２Ｂには、クリック機構の一部を構成する凹部２７Ｂが設けられる。なお、凹部２７Ｂは孔部であっても良い。そして、第１端子１２Ｂには、クリック機構の一部を構成する凸部１５Ｂが設けられている。これらが互いに嵌合することで、クリック感が得られる構成である。また、第３実施例では、プッシュナット部５５Ｂは独立して設けられている例を図示した。しかしながら、本発明はこれに限定されず、第２実施例のように一体的に設けられても良い。
【００４９】
図７は、本発明の第３実施例の可倒式ルーフマウントアンテナのプッシュロッドとプッシュナット部の詳細を説明するための概略断面図である。同図に示されるように、第１端子１２Ｂは、ジョイントモールド１３Ｂの筒状部の閉じている側の外部側に設けられ、第２端子２２Ｂと電気的に導通した状態で摺動する。そして、プッシュナット受け部２８Ｂが第２端子２２Ｂの一部に一体的に構成されている。
【００５０】
第３実施例では、枢支部２５Ｂ，２５Ｂの一方に、プッシュロッド５０Ｂのフランジ部５２Ｂが嵌合する大きさの孔が設けられており、プッシュロッド５０Ｂをプッシュナット部５５Ｂに挿し込むと、枢支部２５Ｂの孔にフランジ部５２Ｂが嵌合する。
【００５１】
第３実施例の可倒式ルーフマウントアンテナでは、第１実施例と同様に、組み付け作業が容易であるため、ジョイントアセンブリにスプリングを挿入したり、枢支部間にジョイントアセンブリを挿入するのを、機械により自動化することが可能となる。また、プッシュロッドとプッシュナット部を用いた締結手法により、締結トルク等を気にすることなく、プッシュロッドをプッシュナット部に挿し込むのみで締結が完了するため、非常に容易に組み付け可能となる。
【００５２】
さらに、第３実施例の可倒式ルーフマウントアンテナでは、アンテナロッドから第２端子までの導通経路は、ジョイント１１Ｂ、第１端子１２Ｂ、第２端子２２Ｂという最短の１系統となる。
【００５３】
次に、本発明の第４実施例の可倒式ルーフマウントアンテナについて、図８を用いて説明する。図８は、本発明の第３実施例の可倒式ルーフマウントアンテナを説明するための分解斜視図であり、図８（ａ）が全体を、図８（ｂ）がジョイントアセンブリを、図８（ｃ）がベースアセンブリをそれぞれ表わしている。図中、図２等と同一の符号を付した部分は概ね同一物を表わしている。また、対応する構成要素には符号末尾に"Ｃ"を付し、詳説は省略する。
【００５４】
図示の通り、本発明の第４実施例の可倒式ルーフマウントアンテナは、ベースアセンブリ２０Ｃが、枢支部２５Ｃ，２５Ｃを有するような第２端子２２Ｃで一体的に構成されている例である。さらに、ベースアセンブリ２０Ｃを構成する第２端子２２Ｃには、クリック機構の一部を構成する凹部２８Ｃが設けられる。なお、凹部２８Ｃは孔部であっても良い。そして、プッシュロッド５０Ｃのフランジ部５２Ｃには、凸部５３Ｃが設けられている。これらが互いに嵌合することで、クリック感が得られる構成である。
【００５５】
第４実施例の可倒式ルーフマウントアンテナでは、プッシュロッド５０Ｃのフランジ部５２Ｃ近傍に張出部５４Ｃが設けられており、また、第１端子１２Ｃには、張出部５４Ｃが嵌合する形状の孔部１６Ｃが設けられている。なお、第１端子１２Ｃは、ジョイントモールド１３Ｃの筒状部の閉じている側の内部側に設けられる。そして、張出部５４Ｃと孔部１６Ｃが嵌合することで、プッシュロッド５０Ｃは第２端子１２Ｃに固定される。また、プッシュロッド５０Ｃはベースアセンブリ２０Ｃには固定されていないため、アンテナロッドの揺動に伴い、プッシュロッド５０Ｃとベースアセンブリ２０Ｃ間は揺動すると共に、凹部２８Ｃと凸部５３Ｃが嵌合してクリック感が得られる。
【００５６】
また、図示例では、プッシュナット受け部５８Ｃは、ジョイントモールド１３Ｃの筒状部の開口を閉じる蓋状体からなるものであり、スプリング４０Ｃをジョイントモールド１３Ｃの筒状部の内部に保持すると共に、プッシュナット部５５Ｃの撓みを抑制し、プッシュナット部５５Ｃからプッシュロッド５０Ｃが抜けることを防止している。なお、本発明では、図示例のプッシュナット受け部５８Ｃには限定されず、例えば、ジョイントモールドに嵌合すると共に枢支部の孔にも嵌合する筒状のホルダとして構成しても良い。
【００５７】
第４実施例では、ベースアセンブリ２０Ｃの枢支部２５Ｃ，２５Ｃの一方に、ジョイントモールド１３Ｃの筒状部の開口周辺の突出部が嵌合する大きさの孔が設けられており、ジョイントモールド１３Ｃをベースアセンブリ２０Ｃの枢支部２５Ｃ，２５Ｃ間に挿し込むと、枢支部２５Ｃの孔にジョイントモールド１３Ｃが嵌合する。
【００５８】
第４実施例の可倒式ルーフマウントアンテナでは、第１実施例と同様に、組み付け作業が容易であるため、ジョイントアセンブリにスプリングを挿入したり、枢支部間にジョイントアセンブリを挿入するのを、機械により自動化することが可能となる。また、プッシュロッドとプッシュナット部を用いた締結手法により、締結トルク等を気にすることなく、プッシュロッドをプッシュナット部に挿し込むのみで締結が完了するため、非常に容易に組み付け可能となる。
【００５９】
さらに、第４実施例の可倒式ルーフマウントアンテナでは、アンテナロッドから第２端子までの導通経路は、ジョイント１１Ｃ、第１端子１２Ｃ、プッシュロッド５０Ｃ、第２端子２２Ｃの１系統となる。
【００６０】
ここで、これまで説明した各実施例において、ジョイントアセンブリを揺動可能に枢支する枢支部は、何れも一対の枢支部からなる両持ち状態で枢支するものであった。しかしながら、本発明の可倒式ルーフマウントアンテナは、以下に説明されるように、これに限定されるものではない。
【００６１】
図９は、本発明の可倒式ルーフマウントアンテナにおいて、片持ち状態でジョイントアセンブリを枢支する例を説明するための概略断面図である。図中、図２等と同一の符号を付した部分は概ね同一物を表わしている。また、対応する構成要素には符号末尾に"Ｄ"を付し、詳説は省略する。この例は、プッシュロッドをベースアセンブリのベースモールドに埋め込む構成例である。
【００６２】
図９に示される可倒式ルーフマウントアンテナは、片持ち状態でジョイントアセンブリを枢支するように構成されている。ベースアセンブリ２０Ｄのベースモールド２１Ｄは、枢支部２５Ｄを有する。そして、ベースモールド２１Ｄには、第２端子２２Ｄ及びプッシュロッド５０Ｄがインサート成形等により配置されている。なお、プッシュロッド５０Ｄのフランジ部に対応する部分が、ベースモールド２１Ｄの枢支部２５Ｄ内に埋め込まれている。また、第２端子２２Ｄとプッシュロッド５０Ｄは電気的に接触している。そして、枢支部２５Ｄには、クリック機構の一部である凸部１５Ｄが設けられ、クリックプレート３１Ｄに設けられる凹部２７Ｄが嵌合することで、クリック感が得られる構成である。
【００６３】
この例では、ジョイントモールド１３Ｄとクリックモールド３２Ｄに、互いに嵌合する凸部及び凹部が設けられており、クリックモールド３２Ｄはジョイントモールド１３Ｄに対して回転方向には固定される。また、クリックモールド３２Ｄはジョイントモールド１３Ｄに対して回転軸方向には固定されておらず、スプリング４０Ｄによりクリックプレート３１Ｄが凸部１５Ｄ側に付勢されている。
【００６４】
また、筒状部を有するジョイントアセンブリ１０Ｄには、第１端子１２Ｄと一体的に構成されるプッシュナット部５５Ｄがインサート成形等により設けられている。プッシュナット部５５Ｄは、ジョイントモールド１３Ｄの筒状部の閉じている側の内部に設けられている。そして、ジョイントモールド１３Ｄの一部を用いてプッシュナット受け部５８Ｄが形成されている。
【００６５】
このような構成の可倒式ルーフマウントアンテナでは、ジョイントアセンブリ１０Ｄの筒状部の開口側が枢支部２５Ｄと対向し、筒状部の閉じている側の外部面が露出する形となるため、外観上非常にすっきりとした形状となる。従来の可倒式ルーフマウントアンテナでは、ボルト及びナットを用いてねじ込むことでジョイントアセンブリやベースアセンブリが締結されていたため、ボルトやナットが露出することになり、外観上の問題があった。これを解消するために目隠しシール等を用いる場合もあった。しかしながら、本発明の可倒式ルーフマウントアンテナでは、プッシュロッドとプッシュナットを用いて押し込むことだけで組み付けが完了するため、図９に示されるように構成すれば、外観上の問題も解決可能である。
【００６６】
なお、本発明の車両用の可倒式ルーフマウントアンテナは、上述の図示例にのみ限定されるものではなく、本発明の要旨を逸脱しない範囲内において種々変更を加え得ることは勿論である。
【００６７】
例えば、クリック機構の一部を構成する凹部及び凸部は、図示例に限定されず、凹部と凸部が逆に構成されたものであっても良い。
【符号の説明】
【００６８】
１０    ジョイントアセンブリ
１１    ジョイント
１２    第１端子
１３    ジョイントモールド
２０    ベースアセンブリ
２１    ベースモールド
２２    第２端子
２５    枢支部
３０    クリック機構
３１    クリックプレート
３２    クリックモールド
４０    スプリング
５０    プッシュロッド
５１    係止部
５１ａ    係止面
５２    フランジ部
５５    プッシュナット部
５５ａ    係止面
５６    スリット
５８    プッシュナット受け部
【図１】
2011009928.tif 000003
【図２】
2011009928.tif 000004
【図３】
2011009928.tif 000005
【図４】
2011009928.tif 000006
【図５】
2011009928.tif 000007
【図６】
2011009928.tif 000008
【図７】
2011009928.tif 000009
【図８】
2011009928.tif 000010
【図９】
2011009928.tif 000011